(57)【要約】【課題】開閉装置のレイアウト設定および変更を容易かつ確実に行えるような電動開閉システムを提供すること。【解決手段】  複数の開閉装置１１，１２，…と、開閉装置の開閉をそれぞれ指示可能な複数の操作コントローラ３１，３２，…と、設定コントローラ２１とを、双方向通信が可能な伝送路４１，４２を介して相互に接続された状態で備える。各開閉装置は、自機を特定する機器識別番号Ｋを保持するとともに、自機が属するグループを特定するグループ番号Ｇを電気的に書き換え可能に記憶する。各操作コントローラは、自機に対応する開閉装置のグループを特定する操作指定グループ番号ＣＧを電気的に書き換え可能に記憶する。設定コントローラは、各開閉装置にそれぞれグループ番号Ｇを電気的に書き込むとともに、各操作コントローラにそれが操作すべき開閉装置のグループを特定する操作指定グループ番号ＣＧを電気的に書き込む。【選択図】図１
2008150826.tif 000002
【特許請求の範囲】
【請求項１】
それぞれ開閉動作が可能で、グループ編成を含むレイアウト設定がなされる複数の開閉装置と、
上記開閉装置の開閉をそれぞれ指示可能な複数の操作コントローラと、
上記開閉装置のレイアウト設定および変更を行うための設定コントローラとを、
双方向通信が可能な伝送路を介して相互に接続された状態で備え、
上記各開閉装置は、その開閉装置を特定する機器識別番号を保持する機器識別番号保持部と、その開閉装置が属するグループを特定するグループ番号を電気的に書き換え可能に記憶するグループ番号記憶部とを有し、
上記各操作コントローラは、その操作コントローラに対応する上記開閉装置のグループを特定する操作指定グループ番号を電気的に書き換え可能に記憶する操作指定グループ番号記憶部を有し、
上記設定コントローラは、上記複数の開閉装置のレイアウト設定または変更を行うように、上記伝送路を介して、上記各開閉装置のグループ番号記憶部にそれぞれグループ編成のためのグループ番号を電気的に書き込むとともに、上記各操作コントローラの操作指定グループ番号記憶部に、その操作コントローラが操作すべき上記開閉装置のグループを特定する操作指定グループ番号を電気的に書き込むようになっていることを特徴とする電動開閉システム。
【請求項２】
請求項１に記載の電動開閉システムにおいて、
上記設定コントローラは、
複数の数値データを入力するための数値入力部と、
上記数値入力部から入力された数値データを表示するための表示部と、
上記数値入力部からの数値データを上記開閉装置のグループ番号として設定するための開閉装置設定キーと、
上記数値入力部からの数値データを上記操作コントローラの操作指定グループ番号として設定するための操作コントローラ設定キーと、
上記各設定キーの入力に基づいて、上記グループ番号または操作指定グループ番号を含む設定信号を送信する設定コントローラ送信部と
を備えたことを特徴とする電動開閉システム。
【請求項３】
請求項１に記載の電動開閉システムにおいて、
上記各操作コントローラは、
開閉の指示が入力される操作キーと、
上記操作キーが押されたとき、上記操作キーによる上記開閉の指示を表す制御情報と上記操作指定グループ番号記憶部に記憶されたグループ指定情報とを含む操作信号を、上記伝送路上に送信する操作コントローラ送信部と
を備えたことを特徴とする電動開閉システム。
【請求項４】
請求項１に記載の電動開閉システムにおいて、
上記各操作コントローラは上記開閉装置を介して上記伝送路に接続されており、
上記各開閉装置は、
上記伝送路を介して、上記操作コントローラからの開閉の指示と上記操作指定グループ番号記憶部に記憶された操作指定グループ番号とを含む操作信号、または上記設定コントローラからの上記グループ番号および操作指定グループ番号を含む設定信号を受信するための機器第１受信部と、
上記機器第１受信部が受信した上記設定信号に含まれる機器識別番号がその開閉装置の上記機器識別番号保持部に設定されている機器識別番号と一致するか否かを判別し、上記２つの機器識別番号が一致すると判別したとき、上記設定信号が上記操作コントローラの設定を行うコントローラ設定信号と上記開閉装置の設定を行う機器設定信号とのいずれであるかを判別する機器制御部と、
上記機器制御部によって上記設定信号が上記コントローラ設定信号であると判別されたとき、上記設定信号をその開閉装置に接続されている上記操作コントローラへ送信する機器第１送信部と
を備え、
上記各操作コントローラは、上記開閉装置の上記機器第１送信部からの上記コントローラ設定信号を受信するための操作コントローラ受信部を備えたことを特徴とする電動開閉システム。
【請求項５】
請求項１に記載の電動開閉システムにおいて、
上記設定コントローラが送信する上記操作コントローラの設定を行うためのコントローラ設定信号は、上記操作指定グループ番号として第１操作指定グループ番号と第２操作指定グループ番号とを含み、
上記各操作コントローラは、上記コントローラ設定信号に含まれる第１操作指定グループ番号が上記操作指定グループ番号記憶部に記憶された操作指定グループ番号と一致するとき、上記操作指定グループ番号記憶部の記憶内容を上記第２操作指定グループ番号に更新する操作コントローラ制御部を備えたことを特徴とする電動開閉システム。
【請求項６】
請求項１に記載の電動開閉システムにおいて、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号とを含み、
上記各操作コントローラの上記操作コントローラ制御部は、上記コントローラ設定信号に含まれる第１コントローラ識別番号が上記コントローラ番号記憶部に記憶されたコントローラ識別番号と一致するとき、上記コントローラ番号記憶部の記憶内容を上記第２コントローラ識別番号に更新することを特徴とする電動開閉システム。
【請求項７】
請求項１に記載の電動開閉システムにおいて、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号と第３コントローラ識別番号とを含み、
上記各操作コントローラの上記操作コントローラ制御部は、上記コントローラ設定信号に含まれる第１コントローラ識別番号が上記コントローラ番号記憶部に記憶されたコントローラ識別番号と一致し、かつ上記第２コントローラ識別番号が予め定義された特定の番号と一致するとき、上記コントローラ番号記憶部の記憶内容を上記第３コントローラ識別番号に更新することを特徴とする電動開閉システム。
【請求項８】
請求項４に記載の電動開閉システムにおいて、
上記設定信号に含まれる機器識別番号として、上記伝送路に接続された全ての開閉装置を指定する全機器指定番号が定義され、
上記機器第１受信部が受信した上記設定信号に含まれる機器識別番号が上記全機器指定番号であるとき、上記機器制御部は、上記設定信号に含まれる機器識別番号がその開閉装置の上記機器識別番号保持部に設定されている機器識別番号と一致すると判別することを特徴とする電動開閉システム。
【請求項９】
請求項８に記載の電動開閉システムにおいて、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号とを含み、
上記コントローラ識別番号として、上記伝送路に接続された全ての操作コントローラを指定する全コントローラ指定番号が定義され、
上記各操作コントローラの上記操作コントローラ制御部は、その操作コントローラの上記操作コントローラ受信部が受信した上記コントローラ設定信号に含まれる第１コントローラ識別番号が全コントローラ指定番号と一致するとき、その操作コントローラのコントローラ識別番号と一致すると判別し、さらに、上記第２コントローラ識別番号が予め定義された特定の番号と一致するとき、上記コントローラ番号記憶部に記憶されているコントローラ識別番号と上記操作指定グループ番号記憶部に記憶されている操作指定グループ番号とを含む回答信号を、上記操作コントローラ送信部を介して、その操作コントローラに接続されている上記開閉装置へ送信させるようになっており、
上記各開閉装置は、その開閉装置に接続されている上記操作コントローラからの操作信号を受信するための機器第２受信部と、上記機器第２受信部が受信した受信信号を上記伝送路に送信するための機器第２送信部とを備え、
上記各開閉装置の上記機器制御部は、上記機器第２受信部が受信した受信信号が上記操作コントローラからの回答信号でと判別された場合には、上記機器識別番号保持部の機器識別番号を上記回答信号に含めて、上記伝送路に上記機器第２送信部から送信させるようになっており、
上記設定コントローラは、上記伝送路を介して上記回答信号を受信するための設定コントローラ受信部を備え、
上記設定コントローラの上記表示部は、上記設定コントローラ受信部が受信した上記回答信号に含まれる機器識別番号、コントローラ識別番号、および操作指定グループ番号を表示するようになっていることを特徴とする電動開閉システム。
【発明の詳細な説明】
【技術分野】
【０００１】
この発明は、複数の開閉装置の動作を、各開閉装置毎の個別単位、グループ単位、または一括で制御する電動開閉システムに関する。ここで「開閉装置」とは、電動ブラインド、電動シャッタ、電動カーテンなどに代表されるような、所定の対象物の開閉を電動で行う装置を指す。
【背景技術】
【０００２】
現在、複数の電動ブラインドを集中的に制御して各ブラインドの高さおよび羽根の角度を、採光と冷暖房効率の両面から適正な値にし、またブラインドを揃えることにより、冷暖房費用の節約とともに建物全体の美観を維持するのに役立つ電動ブラインドシステムが市販されている。
【０００３】
この種の市販の電動ブラインドシステムとしては、各ブラインド毎にそのブラインドの動作を制御するための操作用コントローラと、複数のブラインドを含むグループ毎にそのグループの動作制御するためのグループ操作用コントローラとを備えたものが知られている。各ブラインドには、そのブラインドを特定する個別番号が設置前から設定（例えば、設置位置に連続して、１から２５５まで順番に）されている。また、操作用コントローラは、その操作用コントローラ（したがって、それに対応するブラインド）が属するグループ（操作用グループ番号）を設定するためのディップスイッチを備えている。そして、グループ操作用コントローラによって、そのグループ操作用コントローラが特定する操作用グループ番号をもつグループ単位で、ブラインドの開閉が制御される。
【０００４】
ブラインドのグループ編成などのレイアウト設定および変更を行う場合、作業者は、操作用コントローラに内蔵されているディップスイッチを切り替えて操作用グループ番号を設定および変更している。
【特許文献１】特開平９−１９５６４３号公報
【発明の開示】
【発明が解決しようとする課題】
【０００５】
ところで、上記操作用コントローラのディップスイッチは、切替作業時以外には操作不要であるため、通常は操作用コントローラ本体の背面などに設けられている。このため、大規模なブラインドシステムの変更の場合などには、操作用コントローラの数が多くなることから、ディップスイッチの切替作業が煩わしいものとなる。また、切替作業後に、設定グループ番号を確認することが難しい。
【０００６】
そこで、この発明の課題は、ブラインドに代表されるような開閉装置のレイアウト設定および変更を容易かつ確実に行えるような電動開閉システムを提供することにある。
【０００７】
なお、例えば特許文献１（特開平９−１９５６４３号公報）には、各ブラインド装置毎にメモリ回路を設けてそのブラインド装置が属するグループ番号を設定し、それらのブラインド装置をマルチコントローラで任意にグループ編成して、ブラインド装置のグループごとに開、閉、上昇、下降、停止などの各種動作を行わせる技術が開示されている。ブラインド装置のレイアウトを変更する場合には、各ブラインド装置のメモリ回路に設定されているグループ番号をマルチコントローラによって再設定することにより行う。
【課題を解決するための手段】
【０００８】
上記課題を解決するため、この発明の電動開閉システムは、
それぞれ開閉動作が可能で、グループ編成を含むレイアウト設定がなされる複数の開閉装置と、
上記開閉装置の開閉をそれぞれ指示可能な複数の操作コントローラと、
上記開閉装置のレイアウト設定および変更を行うための設定コントローラとを、
双方向通信が可能な伝送路を介して相互に接続された状態で備え、
上記各開閉装置は、その開閉装置を特定する機器識別番号を保持する機器識別番号保持部と、その開閉装置が属するグループを特定するグループ番号を電気的に書き換え可能に記憶するグループ番号記憶部とを有し、
上記各操作コントローラは、その操作コントローラに対応する上記開閉装置のグループを特定する操作指定グループ番号を電気的に書き換え可能に記憶する操作指定グループ番号記憶部を有し、
上記設定コントローラは、上記複数の開閉装置のレイアウト設定または変更を行うように、上記伝送路を介して、上記各開閉装置のグループ番号記憶部にそれぞれグループ編成のためのグループ番号を電気的に書き込むとともに、上記各操作コントローラの操作指定グループ番号記憶部に、その操作コントローラが操作すべき上記開閉装置のグループを特定する操作指定グループ番号を電気的に書き込むようになっていることを特徴とする。
【０００９】
ここで、開閉装置の或る「グループ」は、上記複数の開閉装置のうちの１個の開閉装置のみを含んでいても良いし、２個以上の開閉装置を含んでいても良いし、また、全部の開閉装置を一括して含んでいても良い。「グループ編成」とは、上記複数の開閉装置をそのようなグループに分けることを意味する。
【００１０】
この発明の電動開閉システムでは、上記設定コントローラが、上記伝送路を介して、上記各開閉装置のグループ番号記憶部にグループ編成のためのグループ番号をそれぞれ電気的に書き込むとともに、上記各操作コントローラの操作指定グループ番号記憶部に、その操作コントローラが操作すべき上記開閉装置のグループを特定する操作指定グループ番号を電気的に書き込む。これにより、上記複数の開閉装置のレイアウト設定または変更が行われる。このように、レイアウト設定または変更が電気的に行われるので、市販の電動ブラインドシステムのように操作コントローラのディップスイッチの切替作業を要する場合に比して、開閉装置のレイアウト設定や変更を容易かつ確実に行うことができる。
【００１１】
一実施形態の電動開閉システムでは、
上記設定コントローラは、
複数の数値データを入力するための数値入力部と、
上記数値入力部から入力された数値データを表示するための表示部と、
上記数値入力部からの数値データを上記開閉装置のグループ番号として設定するための開閉装置設定キーと、
上記数値入力部からの数値データを上記操作コントローラの操作指定グループ番号として設定するための操作コントローラ設定キーと、
上記各設定キーの入力に基づいて、上記グループ番号または操作指定グループ番号を含む設定信号を送信する設定コントローラ送信部と
を備えたことを特徴とする。
【００１２】
この一実施形態の電動開閉システムでは、操作者は、上記設定コントローラによって、上記各開閉装置のグループ番号記憶部への上記グループ番号の書き込み、上記各操作コントローラの操作指定グループ番号記憶部への上記操作指定グループ番号の書き込みを、上記表示部による表示を見ながら容易に行うことができる。
【００１３】
一実施形態の電動開閉システムでは、
上記各操作コントローラは、
開閉の指示が入力される操作キーと、
上記操作キーが押されたとき、上記操作キーによる上記開閉の指示を表す制御情報と上記操作指定グループ番号記憶部に記憶されたグループ指定情報とを含む操作信号を、上記伝送路上に送信する操作コントローラ送信部と
を備えたことを特徴とする。
【００１４】
この一実施形態の電動開閉システムでは、操作者が上記操作キーを押すことによって、操作コントローラ送信部は、上記操作キーによる上記開閉の指示と上記操作指定グループ番号記憶部に記憶された操作指定グループ番号とを含む操作信号を、上記伝送路上に送信する。これにより、上記操作指定グループ番号に基づいて、上記開閉装置をグループ単位で開閉動作させることができる。
【００１５】
一実施形態の電動開閉システムでは、
上記各操作コントローラは上記開閉装置を介して上記伝送路に接続されており、
上記各開閉装置は、
上記伝送路を介して、上記操作コントローラからの開閉の指示と上記操作指定グループ番号記憶部に記憶された操作指定グループ番号とを含む操作信号、または上記設定コントローラからの上記グループ番号および操作指定グループ番号を含む設定信号を受信するための機器第１受信部と、
上記機器第１受信部が受信した上記設定信号に含まれる機器識別番号がその開閉装置の上記機器識別番号保持部に設定されている機器識別番号と一致するか否かを判別し、上記２つの機器識別番号が一致すると判別したとき、上記設定信号が上記操作コントローラの設定を行うコントローラ設定信号と上記開閉装置の設定を行う機器設定信号とのいずれであるかを判別する機器制御部と、
上記機器制御部によって上記設定信号が上記コントローラ設定信号であると判別されたとき、上記設定信号をその開閉装置に接続されている上記操作コントローラへ送信する機器第１送信部と
を備え、
上記各操作コントローラは、上記開閉装置の上記機器第１送信部からの上記コントローラ設定信号を受信するための操作コントローラ受信部を備えたことを特徴とする。
【００１６】
この一実施形態の電動開閉システムでは、上記各開閉装置は、その開閉装置に操作コントローラが接続されている場合、その開閉装置を通してその接続されている操作コントローラに上記コントローラ設定信号を送信することができる。上記各操作コントローラは、操作コントローラ受信部によって、上記開閉装置の上記機器第１送信部からの設定信号を受信する。これにより、上記各操作コントローラへの設定が円滑に行われる。
【００１７】
一実施形態の電動開閉システムでは、
上記設定コントローラが送信する上記操作コントローラの設定を行うためのコントローラ設定信号は、上記操作指定グループ番号として第１操作指定グループ番号と第２操作指定グループ番号とを含み、
上記各操作コントローラは、上記コントローラ設定信号に含まれる第１操作指定グループ番号が上記操作指定グループ番号記憶部に記憶された操作指定グループ番号と一致するとき、上記操作指定グループ番号記憶部の記憶内容を上記第２操作指定グループ番号に更新する操作コントローラ制御部を備えたことを特徴とする。
【００１８】
この一実施形態の電動開閉システムでは、上記各操作コントローラの上記操作指定グループ番号記憶部の記憶内容を円滑に書き換えることができる。したがって、開閉装置のレイアウト設定および変更をさらに容易かつ確実に行うことができる。また、上記操作コントローラ制御部の動作は、上記操作指定グループ番号記憶部の記憶内容が未設定であっても可能である。したがって、上記操作指定グループ番号記憶部の記憶内容を、上記操作コントローラの設置前に設定しておかなくても良いことになる。この結果、操作コントローラの一元管理を容易に実現することが可能になる。
【００１９】
一実施形態の電動開閉システムでは、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号とを含み、
上記各操作コントローラの上記操作コントローラ制御部は、上記コントローラ設定信号に含まれる第１コントローラ識別番号が上記コントローラ番号記憶部に記憶されたコントローラ識別番号と一致するとき、上記コントローラ番号記憶部の記憶内容を上記第２コントローラ識別番号に更新することを特徴とする。
【００２０】
この一実施形態の電動開閉システムでは、上記各操作コントローラの上記コントローラ番号記憶部の記憶内容を円滑に書き換えることができる。したがって、開閉装置のレイアウト設定および変更をさらに容易かつ確実に行うことができる。また、操作コントローラ制御部による動作は、コントローラ番号記憶部の記憶内容が未設定であっても可能である。したがって、上記コントローラ番号記憶部の記憶内容を、上記操作コントローラの設置前に設定しておかなくても良いことになる。この結果、操作コントローラの一元管理を容易に実現することが可能になる。
【００２１】
一実施形態の電動開閉システムでは、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号と第３コントローラ識別番号とを含み、
上記各操作コントローラの上記操作コントローラ制御部は、上記コントローラ設定信号に含まれる第１コントローラ識別番号が上記コントローラ番号記憶部に記憶されたコントローラ識別番号と一致し、かつ上記第２コントローラ識別番号が予め定義された特定の番号と一致するとき、上記コントローラ番号記憶部の記憶内容を上記第３コントローラ識別番号に更新することを特徴とする。
【００２２】
この一実施形態の電動開閉システムでは、上記各操作コントローラの上記コントローラ番号記憶部の記憶内容を円滑に書き換えることができる。したがって、開閉装置のレイアウト設定および変更をさらに容易かつ確実に行うことができる。また、一意のコントローラ番号をも設定できるという選択が可能となっていることから、使い勝手が改善されている。
【００２３】
一実施形態の電動開閉システムでは、
上記設定信号に含まれる機器識別番号として、上記伝送路に接続された全ての開閉装置を指定する全機器指定番号が定義され、
上記機器第１受信部が受信した上記設定信号に含まれる機器識別番号が上記全機器指定番号であるとき、上記機器制御部は、上記設定信号に含まれる機器識別番号がその開閉装置の上記機器識別番号保持部に設定されている機器識別番号と一致すると判別することを特徴とする。
【００２４】
この一実施形態の電動開閉システムでは、操作者が或る操作コントローラに設定されているコントローラ番号のみを変更したいとき、設定コントローラに対して、上記機器識別番号として上記全機器指定番号を入力するとともに、目的の設定コントローラのコントローラ番号記憶部の記憶内容を書き換える操作をする。このようにした場合、操作者は、実質的に開閉機器の指定を意識する必要が無く、操作コントローラに設定されているコントローラ番号のみを指定して操作コントローラの操作指定グループ番号を設定または変更できる。したがって、操作が簡単になる。
【００２５】
なお、この一実施形態の電動開閉システムにおいて、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、第１コントローラ識別番号と第２コントローラ識別番号と第３コントローラ識別番号とを含み、
上記各操作コントローラの上記操作コントローラ制御部は、上記コントローラ設定信号に含まれる第１コントローラ識別番号が上記コントローラ番号記憶部に記憶されたコントローラ識別番号と一致し、かつ上記第２コントローラ識別番号が予め定義された特定の番号と一致するとき、上記コントローラ番号記憶部の記憶内容を上記第３コントローラ識別番号に更新するのが望ましい。
【００２６】
一実施形態の電動開閉システムでは、
上記各操作コントローラは、その操作コントローラを特定するコントローラ識別番号を電気的に書き換え可能に記憶するコントローラ番号記憶部を有し、
上記設定コントローラが送信する上記操作コントローラの設定を行うためのコントローラ設定信号は、上記コントローラ識別番号として第１コントローラ識別番号と第２コントローラ識別番号とを含み、
上記コントローラ識別番号として、上記伝送路に接続された全ての操作コントローラを指定する全コントローラ指定番号が定義され、
上記各操作コントローラの上記操作コントローラ制御部は、その操作コントローラの上記操作コントローラ受信部が受信した上記コントローラ設定信号に含まれる第１コントローラ識別番号が全コントローラ指定番号と一致するとき、その操作コントローラのコントローラ識別番号と一致すると判別し、さらに、上記第２コントローラ識別番号が予め定義された特定の番号と一致するとき、上記コントローラ番号記憶部に記憶されているコントローラ識別番号と上記操作指定グループ番号記憶部に記憶されている操作指定グループ番号とを含む回答信号を、上記操作コントローラ送信部を介して、その操作コントローラに接続されている上記開閉装置へ送信させるようになっており、
上記各開閉装置は、その開閉装置に接続されている上記操作コントローラからの操作信号を受信するための機器第２受信部と、上記機器第２受信部が受信した受信信号を上記伝送路に送信するための機器第２送信部とを備え、
上記各開閉装置の上記機器制御部は、上記機器第２受信部が受信した受信信号が上記操作コントローラからの回答信号でと判別された場合には、上記機器識別番号保持部の機器識別番号を上記回答信号に含めて、上記伝送路に上記機器第２送信部から送信させるようになっており、
上記設定コントローラは、上記伝送路を介して上記回答信号を受信するための設定コントローラ受信部を備え、
上記設定コントローラの上記表示部は、上記設定コントローラ受信部が受信した上記回答信号に含まれる機器識別番号、コントローラ識別番号、および操作指定グループ番号を表示するようになっていることを特徴とする。
【００２７】
この一実施形態の電動開閉システムでは、操作者が上記設定コントローラを通して全機器指定番号および全コントローラ指定番号を含む設定信号を送信することによって、全ての開閉装置の機器識別番号、操作コントローラのコントローラ識別番号および操作指定グループ番号を上記表示部に表示させることができまる。したがって、操作者は、開閉装置のレイアウト設定または変更を行うに際して、所望の操作コントローラを正確に確認して設定および変更できるとともに、設定および変更の結果をも確認することができる。この結果、レイアウト設定および変更をさらに容易かつ確実に行うことができる。
【発明を実施するための最良の形態】
【００２８】
以下、この発明の実施の形態について図面を参照して詳細に説明する。
【００２９】
この実施の形態においては開閉装置としてブラインドを例示しているが、ブラインドに限らずカーテン、シャッタあるいはドアなどを対象として、電動カーテン装置、電動シャッタ装置あるいは電動ドア装置として提供することもできる。
【００３０】
図１は、この発明の一実施形態の電動ブラインドシステムの概略構成を示している。この電動ブラインドシステムは、信号の伝送路である同一の配線４１を介してバス的（双方向通信可能）に接続されるブラインド機器１１〜１６と、設定コントローラ２１と、ブラインド機器１２、１５、１６のそれぞれに配線４２を介して接続される操作コントローラ３１〜３４とを含む。なお、配線４２は配線４１と同様にバス的（双方向通信可能）通信線であり、操作コントローラ３２は操作コントローラ３１に接続されているが、通信線としては操作コントローラ３１と同一のブラインド機器１２に接続されている。また、ブラインド機器は６台、操作コントローラは４台というように、説明上必要な台数のみしか図示していないが、後述するように本実施形態では各々最大２５５台接続することが可能である。
【００３１】
図１のシステムでは設定指令と操作指令の作業が行われる。設定指令とは各ブラインド機器をグループ編成するための番号情報をブラインド機器および操作コントローラに設定／変更するための指令作業をいい、動作指令とは所定のブラインド機器に上昇、下降、停止などの各種動作を行わせるための指令作業をいう。
【００３２】
ここで、「グループ編成」とは、この電動ブラインドシステムに含まれる複数のブラインド機器を該システムが設けられる建物の各フロアごと、あるいは各部屋ごとの単位で設定されるゾーン単位とかブロック単位で分割したもの、複数の管理者のそれぞれについて分割したもの、該システムのすべてのブラインド機器および該システム内の１つ以上の任意のブラインド機器からなる組合せなどをいう。なお、この電動ブラインドシステム内のグループ番号としては１〜２５５の任意の値を設定することができる。たとえば、ブラインド機器１１、１２はグループ１１（グループ番号Ｇ＝１１）、ブラインド機器１３、１４はグループ１２（グループ番号Ｇ＝１２）を構成し、ブラインド機器１５はグループ５０（グループ番号Ｇ＝５０）に、ブラインド機器１６はグループ１２５（グループ番号Ｇ＝１２５）に含まれる。
【００３３】
また、ブラインド機器１１〜１６のそれぞれは、そのブラインド機器を一意に特定する機器識別番号として個別番号Ｋを有する。各ブラインド機器１１〜１６の個別番号Ｋには、それぞれ１〜２５５の任意の値が設定可能である。すなわち、この電動ブラインドシステムでは、最大２５５台のブラインド機器を制御対象とすることができる。
【００３４】
この例では、図１中のブラインド機器１１は個別番号Ｋ＝１であり、ブラインド機器１２は個別番号Ｋ＝２であり、また、ブラインド機器１６は個別番号Ｋ＝２５５である。
【００３５】
なお、各ブラインド機器１１〜１６は一意の個別番号Ｋが設定されて設置されるが、グループ番号については、詳細を後述するが設定コントローラ２１による設置後の設定となる。すなわち、設置時の値は上述のグループ番号１〜２５５以外の「０」としている。
【００３６】
同様に、操作コントローラ３１〜３４についても、その操作コントローラに対応するブラインド機器のグループを特定する操作指定グループ番号としてグループ番号ＣＧが設定されている。操作コントローラ３１に対応するのはブラインド機器のグループ１１（グループ番号ＣＧ＝１１）であり、操作コントローラ３２に対応するのはブラインド機器のグループ１２（グループ番号ＣＧ＝１２）であり、操作コントローラ３３に対応するのはブラインド機器のグループ５０（グループ番号ＣＧ＝５０）であり、また、操作コントローラ３４に対応するのはブラインド機器のグループ１２５（グループ番号ＣＧ＝１２５）である。また、操作コントローラ３１〜３４のこれらグループ番号ＣＧは、詳細は後述するが設定コントローラ２１による設置後の設定となる。
【００３７】
また、操作コントローラ３１〜３４のそれぞれは、各ブラインド機器の個別番号Ｋと同様に、その操作コントローラを一意に特定するコントローラ識別番号としてコントローラ番号Ｃを有する。各操作コントローラ３１〜３４のコントローラ番号Ｃには、それぞれ１〜２５５の任意の値が設定可能である。すなわち、操作コントローラの最大接続数は２５５台としている。これらのコントローラ番号Ｃも、詳細は後述するが設定コントローラ２１による設置後の設定となる。コントローラ番号Ｃの設置時の値は上述のコントローラ番号１〜２５５以外の「０」としている。
【００３８】
なお、操作コントローラ３１〜３４には、さらにハード番号ＳＷが設定されて設置される。このハード番号ＳＷの値は一意ではなく、基本的には固定値「１」（ハード番号ＳＷ＝１）としている。さらに、同一ブラインド機器に複数の操作コントローラを接続する場合、すなわち、この例ではブラインド機器に接続されている操作コントローラにさらに別の操作コントローラを接続する場合は、前者の操作コントローラのハード番号ＳＷに「＋１」した番号を後者の操作コントローラのハード番号ＳＷ（例：操作コントローラ３２はＳＷ＝２）としている。これにより、同一ブラインド機器に接続された操作コントローラ同士で互いに区別できるようにしている。
【００３９】
図２は、上述の設定コントローラ２１の外観を示している。この設定コントローラ２１は、表示部としての液晶ディスプレイ２１１と、各種キー２１２，２１３，２１４を含むキー入力部とを有している。
【００４０】
この例では、キー入力部は、数字キー０、１〜９からなる数値入力部としてのテンキー２１２と、テンキー２１２の機能を切り替えるキーとしてのｓｈｉｆｔキー２１３、および送信キー２１４を含む。
【００４１】
液晶ディスプレイ２１１は、この設定コントローラ２１に内蔵された後述するＣＰＵ（中央演算処理装置）の働きによって、公知のカーソル表示（図示せず）を行い、カーソル位置にテンキー２１２のキー入力される数字キーの数値文字を３個ずつ表示していく。これとともに、ｓｈｉｆｔキー２１３と数字キーとの同時押し入力により、表示数字行を上または下にスクロール、または入力中の表示数字行を１行クリアする。また、送信キー２１４のキー入力により表示数字行を改行表示する。なお、ｓｈｉｆｔキー２１３との同時押しで有効な数字キーは「４」（上スクロール）、「８」（下スクロール）、「９」（１行クリア）の３キーのみである。他の数字キーは、ｓｈｉｆｔキー２１３との同時押しでは無効キーとなる。
【００４２】
なお、液晶ディスプレイ２１１の行頭をカーソル位置０として、テンキー２１２の入力毎に入力された数字キーの数値（０、１〜９）がカーソル位置に表示される。３桁のデータが入力される毎にスペース文字が挿入され、カーソル位置は右側にシフトしていく。カーソル位置は、０〜１２まで「＋１」されて管理され、４個の３桁データ入力完了後にはカーソル位置１２となる。カーソル位置１２でのテンキー２１２の入力は無効操作となる。
【００４３】
テンキー２１２のキー入力による４個の３桁データは、入力順にデータ１、データ２、データ３、データ４として管理される。送信キー２１４の入力により、所望のブラインド機器１１〜１６にグループ番号Ｇを設定するための、または所望する操作コントローラ３１〜３４にコントローラ番号Ｃあるいはグループ番号ＣＧを設定するための設定信号が送信される。これらの場合、送信キー２１４は、それぞれ開閉装置設定キー、操作コントローラ設定キーとして働く。または、送信キー２１４の入力により、所望のブラインド機器１１〜１６に設定されているグループ番号Ｇ、操作コントローラ３１〜３４に設定されているコントローラ番号Ｃ、グループ番号ＣＧを呼び出すための呼出信号が送信される。
【００４４】
これとともに、上述の送信キー２１４の入力により、液晶ディスプレイ２１１は、表示データを改行、すなわちカーソル位置を下行の行頭（カーソル位置０）とする。入力行の表示行が表示画面の最下行である時に改行した場合、次の下行を最下行、すなわち表示画面全体を上側に１行スクロールする。本実施例ではこれを「下スクロール」といい、逆の表示画面全体を下側にスクロールして上側の隠れている画面データを表示させるのを「上スクロール」という。なお、上述の下スクロールをした場合１行目の表示データは表示されなくなるが、画面データとしては保存されている。しかし、画面データ行が一定以上となれば、一番古いデータ行を削除して画面データ行は一定値に維持される（例えば、表示画面行を２０行、最大画面データ行を３００行）。
【００４５】
図３中の表は、液晶ディスプレイ２１１の表示データ行となる画面データの一覧例を示している。その表の上方には、各種操作時における、上述の各データ１〜４の数値の意味を併せて示している。
【００４６】
この図３に示すように、操作コントローラへ呼出信号を送信する時には、その操作コントローラが接続されているブラインド機器の個別番号Ｋ（データ１）とともにコントローラ番号Ｃ（データ２）、ハード番号ＳＷ（データ３）、グループ番号ＣＧ（データ４）が呼び出されて液晶ディスプレイ２１１に３桁ずつ（先頭桁の「０」は「スペース」文字）表示される。同様に、ブラインド機器への呼出信号の時には、ブラインド機器の個別番号Ｋ（データ１）とともに設定されているグループ番号Ｇ（データ４）が液晶ディスプレイ２１１に表示される。
【００４７】
入力データのデータ１〜データ４は、設定指令する対象のブラインド機器（データ１）、操作コントローラ（データ２）、そして設定指令の指令内容（データ３）、および設定データ（データ４）であり、次のように定義されている。
データ１：対象ブラインド機器の個別番号Ｋ（１〜２５５）
データ２：対象コントローラのコントローラ番号Ｃ（１〜２５５）
データ３：設定指令内容（１：操作コントローラにコントローラ番号Ｃを設定）
（２：操作コントローラにグループ番号ＣＧを設定）
（３：ブラインド機器にグループ番号Ｇを設定）
（１０：操作コントローラの、
接続されているブラインド機器の個別番号Ｋ
コントローラ番号Ｃ
ハード番号ＳＷ
グループ番号ＣＧ
を呼出）
（１３：ブラインド機器の、
個別番号Ｋ
グループ番号Ｇ
を呼出）
データ４：設定番号データ（０〜２５５）
＊データ３（１）のとき：コントローラ番号Ｃ
＊データ３（２、３）のとき：グループ番号ＣＧ、Ｇ
【００４８】
操作コントローラについては、設定コントローラ２１に直接的に接続されておらず、ブラインド機器を介しての接続となることから、設定コントローラ２１から所望の操作コントローラを指定する場合は、その操作コントローラに接続されているブラインド機器（個別番号Ｋ）、および所望の操作コントローラ（コントローラ番号Ｃ）を入力することになる。なお、ブラインド機器を指定する場合は所望のブラインド機器（個別番号Ｋ）のみを入力すれば十分であるが、データ１からの順次データ入力としていることから、本来不要のコントローラ番号Ｃ（データ２）をも入力する必要がある。この例では、その不要のコントローラ番号Ｃ（データ２）としてダミー値（通常「０」）を入力することにしている。
【００４９】
「０」は、このようにダミー値としても使用されているが、有意味時には、特定のブラインド機器あるいは操作コントローラではなく、全てのブラインド機器を指定する全機器指定番号としての値、あるいは全ての操作コントローラを指定する全コントローラ指定番号としての値と定義されている。すなわち、特定の操作コントローラを指定する場合もデータ１としてブラインド機器の個別番号Ｋを入力する必要があるが、コントローラ番号Ｃが設定されている場合には全機器指定番号としての「０」を入力すればいいこととなり、ブラインド機器の個別番号Ｋを意識する必要がないこととなる。
【００５０】
なお、コントローラ番号Ｃが設定されていない設置時には、ブラインド機器（個別番号Ｋ：データ１）およびそのブラインド機器に接続されている操作コントローラ（ハード番号ＳＷ：データ２）にて所望の操作コントローラを指定することとしている。上述したように、ハード番号ＳＷは固定値「１」であり、複数の操作コントローラが接続されている場合は、「２」「３」・・・となる。このように、コントローラ番号Ｃが設定されていない場合、すなわちコントローラ番号値が「０」の場合には、ハード番号値をコントローラ番号Ｃとして対応させている。
【００５１】
なお、設定コントローラ２１からの設定信号や呼出信号は、上述のデータ１〜データ４を含んだ電文として構成し、データ１〜データ４が設定信号用データなのか呼出信号用データなのかを区別するために、信号種別データとしてデータ０が定義されている。また、操作コントローラの操作信号についても本電文信号に含めて次のように定義している。
データ０：信号種別（０：操作）
（１：設定／呼出）
（２：回答）＊操作コントローラ
（３：回答）＊ブラインド機器
なお、操作信号時のデータ１〜データ４は、
データ１：対象ブラインド機器のグループ番号Ｇ（１〜２５５）
データ２：対象コントローラのコントローラ番号Ｃ（０）＊ダミー値
データ３：操作指令内容（２０：上昇駆動）
（２１：停止駆動）
（２２：下降駆動）
データ４：設定データ（０）  ＊ダミー値
【００５２】
このように電文が構成され、操作信号として定義されている。なお、データ１の対象ブラインド機器を指定するのは個別番号Ｋではなく、グループ番号Ｇとしている（データ０における「０：操作」を「０：グループ番号機器指定操作」とし、さらに「４：個別番号機器指定操作」とすれば、グループ番号機器指定だけでなく、個別番号機器指定の操作も可能となる）。
【００５３】
図４は、この電動ブラインドシステムの電気系のブロック構成を示している。図４中のブラインド機器１０は図１中のブラインド機器１１〜１６のいずれかに相当し、図４中の操作コントローラ３０は図１中の操作コントローラ３１〜３４のいずれかに相当している。
【００５４】
ブラインド機器１０は配線４１に接続されるとともに配線４１を介して設定コントローラ２１に接続され、さらに配線４２を介して単数または複数の操作コントローラ３０に接続される。
【００５５】
設定コントローラ２１は、既述の液晶ディスプレイ２１１、テンキー２１２、ｓｈｉｆｔキー２１３、送信キー２１４を含むとともに、内蔵ＲＡＭ（ランダム・アクセス・メモリ）２１６を有する設定コントローラ制御部としてのＣＰＵ２１５、設定コントローラ送信部としての送信回路２１７、設定コントローラ受信部としての受信回路２１８を含む。
【００５６】
内蔵ＲＡＭ２１６は、ＣＰＵ２１５による制御によって、キー入力または呼び出して受信したデータ１〜データ４からなる上述したデータ行を内蔵ＲＡＭ２１６に画面データテーブル（以下、内蔵ＲＡＭの符号と同じ符号２１６で表す。）として記憶する。
【００５７】
送信回路２１７はＣＰＵ２１５からの信号を配線４１を介してブラインド機器１０に送信する回路である。上述のテンキー２１２を操作すると、そのキー数値信号はＣＰＵ２１５に入力されて、ＣＰＵ２１５は液晶ディスプレイ２１１に入力数値を表示出力するとともに画面データテーブル２１６にセットしていく。また、入力データとして管理し３桁になるとデータ１〜データ４として入力データ管理する。
【００５８】
そして、上述の送信キー２１４を操作すると、ＣＰＵ２１５に入力されて、ＣＰＵ２１５は入力されているデータ３を解析して、ブラインド機器１０にグループ番号Ｇを設定するための、あるいは操作コントローラ３０にコントローラ番号Ｃまたはグループ番号ＣＧを設定するための設定信号を、あるいはそれらの番号を呼び出すための呼出信号を、送信回路２１７から送出させる。すなわち、上述の信号種別データであるデータ０を確定して、データ０〜４から構成した電文信号を送出させる。
【００５９】
また、受信回路２１８は配線４１を介して受信した信号をＣＰＵ２１５に入力する回路である。送信回路２１７から送信された上述の呼出信号に対応して、後述するようにブラインド機器１０から配線４１に回答信号が送信される。また、後述するように、操作コントローラ３０からの操作信号が、その操作コントローラ３０が接続されているブラインド機器１０を通して配線４１に送信される。受信回路２１８は、送信回路２１７から送信した設定信号、呼出信号をも含む回答信号、操作信号などの受信した信号をＣＰＵ２１５に入力する。ＣＰＵ２１５は、受信信号に含まれるデータ０から回答信号を判別し、コントローラ回答電文時は、データ１（個別番号Ｋ）、データ２（コントローラ番号Ｃ）、データ３（ハード番号ＳＷ）、データ４（グループ番号ＣＧ）を、ブラインド機器回答電文時は、データ１（個別番号Ｋ）、データ４（グループ番号Ｇ）を液晶ディスプレイ２１１に表示出力するとともに画面データテーブル２１６にセットしていく。
【００６０】
また、上述のｓｈｉｆｔキー２１３を操作すると、そのｓｈｉｆｔキー信号はＣＰＵ２１５に入力されて、ＣＰＵ２１５は液晶ディスプレイ２１１の表示画面を制御する。同時押しのテンキー２１２が「４」の時には、表示画面を上スクロール、「８」の時には表示画面を下スクロール、「０」の時には入力中の表示数字行の１行をクリア、すなわち画面データテーブル２１６から最後データとなっているデータ１〜データ４を削除するとともに、液晶ディスプレイ２１１のデータ１〜データ４を「スペース」文字にてクリア表示し、カーソルを画面データテーブル２１６の最後データの次の位置となる行頭（カーソル位置０）にする。なお、入力データ、データ１〜データ４の値をもクリアすなわち「０」にする。
【００６１】
ブラインド機器１０は、機器制御部としてのＣＰＵ５１、グループ番号記憶部としてのメモリ回路５２、機器識別番号保持部としての個別番号設定スイッチ５３、受信回路５４、送信回路５５、第２送信回路５６、第２受信回路５７、駆動回路５８を含む。受信回路５４と第２受信回路５７は機器第１受信部または機器第２受信部として働き、また、送信回路５５と第２送信回路５６は機器第１送信部または機器第２送信部として働く。
【００６２】
メモリ回路５２はＣＰＵ５１から与えられるグループ番号ＧをメモリするとともにＣＰＵ５１から参照される回路である。個別番号設定スイッチ５３は該ブラインド機器の個別番号Ｋの値を設定するための外部操作スイッチで、その設定値はＣＰＵ５１から参照される。受信回路５４は配線４１を介して伝送される信号を受信し、ＣＰＵ５１に与えるための回路である。送信回路５５はＣＰＵ５１からの信号を配線４１に送出するための回路である。第２送信回路５６はＣＰＵ５１からの信号を配線４２に送出するための回路である。第２受信回路５７は配線４２を介して伝送される信号を受信し、ＣＰＵ５１に与えるための回路である。駆動回路５８はＣＰＵ５１からの制御信号によりブラインド機器の昇降駆動部（図示せず）を制御してブラインドを昇降／停止させるための回路である。
【００６３】
ＣＰＵ５１は配線４１から受信回路５４を介して入力信号を解析して、その中の信号種別（データ０）が設定／呼出（１）のときは個別番号設定スイッチ５３により設定された個別番号Ｋの値を参照し、参照した値と受信信号の機器指定番号値（データ１：個別番号Ｋ）とを比較する。その比較の結果、２つの番号が一致しないときは該信号を無視するが、２つの番号が一致したときには該受信信号の設定指令（データ３）に従い設定動作あるいは回答動作を行う。なお、設定指令（データ３）がコントローラ指令の時には、後述する操作コントローラへの設定動作あるいは呼出動作を行う。
【００６４】
ブラインド機器１０への設定動作のときは、受信信号のグループ番号Ｇ値（データ４）をメモリ回路５２に与え、回答動作のときは、機器回答種別値（データ０）、個別番号設定スイッチ５３の個別番号Ｋ値（データ１）とメモリ回路５２のグループ番号Ｇ値（データ４）を含む回答信号を送信回路５５に出力する。そして、操作コントローラ３０への設定動作あるいは呼出動作のときは、受信信号をそのまま第２送信回路５６に出力する。
【００６５】
なお、操作コントローラ３０への呼出動作をおこなった場合、後述するように配線４２を介して接続されている操作コントローラ３０からの回答信号を第２受信回路５７を介して受信するが、ＣＰＵ５１は該受信信号の信号種別（データ０）を解析して、その信号種別がコントローラ回答信号（データ０＝２）であるときには、該受信信号のデータ１を個別番号設定スイッチ５３の個別番号Ｋ値に差し替えた補正回答信号を送信回路５５に出力する。
【００６６】
また、第２受信回路５７は配線４２を介して操作コントローラ３０からの操作信号を受信する。ＣＰＵ５１は該受信信号の信号種別（データ０）を解析して、その信号種別が操作信号（データ０＝０）であるときには該受信信号をそのまま送信回路５５に出力する。なお、操作信号の機器指定は上述しているようにグループ指定となっている。
【００６７】
ＣＰＵ５１は配線４１から受信回路５４を介して入力信号の信号種別（データ０）を解析して、操作信号（データ０＝０）のときはメモリ回路５２にメモリされているグループ番号Ｇの値を参照し、参照した値と受信信号の機器指定番号値（データ１）とを比較する。その比較の結果、２つの番号が一致しないときは該信号を無視するが、２つの番号が一致したときには該受信信号に従い駆動動作、すなわち上昇、停止、下降などの動作を指定する制御信号を駆動回路５８に出力する。なお、このグループ番号指定の受信信号には上述の配線４２を介して接続されている操作コントローラ３０からの操作信号も含まれることとなる。
【００６８】
操作コントローラ３０は、操作コントローラ制御部としてのＣＰＵ６１、操作指定グループ番号記憶部およびコントローラ番号記憶部としてのメモリ回路６２、ハード番号設定スイッチ６３、操作コントローラ送信部としての第２送信回路６４、操作コントローラ受信部としての第２受信回路６５、上昇キー６６、停止キー６７、下降キー６８を含む。上昇キー６６、停止キー６７、下降キー６８は、操作キーとして働く。
【００６９】
メモリ回路６２はＣＰＵ６１から与えられるコントローラ番号Ｃおよびグループ番号ＣＧをメモリするとともにＣＰＵ６１から参照される回路である。ハード番号設定スイッチ６３は該操作コントローラのハード番号ＳＷの値を設定するための外部操作スイッチで、その設定値はＣＰＵ６１から参照される。第２受信回路６５は配線４２を介して伝送される信号を受信し、ＣＰＵ６１に与えるための回路である。第２送信回路６４はＣＰＵ６１からの信号を配線４２に送出するための回路である。上昇キー６６、停止キー６７、および下降キー６８は、メモリ回路６２にメモリされているグループ番号ＣＧのグループに属するブラインド機器を昇降あるいは停止させるための操作キーである。操作者が上昇キー６６、停止キー６７または下降キー６８を押せば、そのキーからの操作信号がＣＰＵ６１に入力される。
【００７０】
ＣＰＵ６１は配線４２から第２受信回路６５を介して入力された受信信号を解析し、その中の信号種別（データ０）が設定／呼出（データ０＝１）であるときは、その受信信号が設定／呼出信号であると判断して、メモリ回路６２のコントローラ番号Ｃの値を参照する。その参照したコントローラ番号Ｃ値が「１〜２５５」であれば、その値と、その受信信号が指定するコントローラ番号Ｃ値（データ２）とを比較する。なお、その参照したコントローラ番号Ｃ値がまだ設定されていない「０」であった時には、ハード番号設定スイッチ６３の設定値と、その受信信号が指定するコントローラ番号Ｃ値（データ２）とを比較する。その比較の結果、２つの番号が一致しないときは該信号を無視するが、２つの番号が一致したときには該受信信号の設定指令（データ３）に従い設定動作あるいは回答動作を行う。なお、受信信号のコントローラ指定番号値（データ２）が「０」である場合は、全コントローラ指定と判別して、その比較の結果を「一致」とする。
【００７１】
その比較の結果、２つの番号（コントローラ番号Ｃ値）が一致すると判別された場合には指令内容（データ３）を解析する。その指令内容が操作コントローラ３０へのコントローラ番号設定動作（データ３：「１」）であるときは、受信信号のコントローラ番号Ｃ値（データ４）をメモリ回路６２のコントローラ番号Ｃとして与える。その指令内容が操作コントローラ３０へのグループ番号設定動作（データ３：「２」）であるときは、受信信号のグループ番号ＣＧ値（データ４）をメモリ回路６２のグループ番号ＣＧとして与える。また、その指令内容が操作コントローラ３０への呼出動作であるときは、コントローラ回答種別値（データ０：「２」）、メモリ回路６２のコントローラ番号Ｃ値（データ２）、ハード番号設定スイッチ６３のハード番号値（データ３）、メモリ回路６２のグループ番号ＣＧ値（データ４）、およびダミー値「０」とした接続ブラインド機器の個別番号Ｋ値（データ１）を含む回答信号を、送信回路６４に出力する。
【００７２】
上述のように、操作者が上昇キー６６、停止キー６７、または下降キー６８を押すと、そのキーからの操作キー信号はＣＰＵ６１に入力される。ＣＰＵ６１はデータ０を操作信号種別値（０）とし、データ１をメモリ回路６２のグループ番号ＣＧとし、データ３を操作指令値（すなわち上昇キー６６の操作時は「２０：上昇駆動」、停止キー６７の操作時は「２１：停止駆動」、下降キー６８の操作時は「２２：下降駆動」）とし、残りのデータ２とデータ４をダミー値（０）としたデータ０〜４からなる電文信号を、第２送信回路６４から送出させる。
【００７３】
図５は、図４中に示した設定コントローラ２１のメインルーチン（受信処理を除く）のフローチャートであり、図６は図５中のサブルーチン（テンキーのみ入力時処理：ステップＳ２０）のフローチャートである。次に、図１〜図６を参照しながら設定コントローラ２１の動作を説明する。
【００７４】
設定コントローラ２１のキー入力部２１２、２１３、２１４のいずれかのキーが操作（押下または非押下）されると、図５のステップＳ１（以下、ステップは省略する）にてキー入力変化有りと判別される。続いて、Ｓ２にて該キー入力変化が押下状態から非押下状態への変化（無キー）なのか逆の非押下状態から押下状態への変化（有キー）なのかが判別される。例えば、キー押下であれば、無キーではないことから、Ｓ２にて「Ｎｏ」と判別される。次に、押下キーがいずれのキーなのかを判別する。すなわち、まずＳ３にて押下キーがｓｈｉｆｔキー２１３であるか否かを判別し、押下キーがｓｈｉｆｔキー２１３とは異なれば、Ｓ４にて押下キーが送信キー２１４であるか否かを判別し、押下キーが送信キー２１４とは異なれば、さらに押下キーがｓｈｉｆｔキー２１３と送信キー以外のテンキー２１２であると判別されて、Ｓ２０のテンキーのみ入力時処理（後述）が実施される。
【００７５】
最初に、ｓｈｉｆｔキー２１３とテンキー２１２との同時押し操作である液晶ディスプレイ２１１の表示画面操作について説明する。まず、ｓｈｉｆｔキー２１３が押下されると、上述したようにＳ３にてｓｈｉｆｔキー入力判別が行われ、今回は「Ｙｅｓ」と判別され、Ｓ４にてテンキー２１２の押下が判別される。ｓｈｉｆｔキー２１３のみであることから、テンキー２１２の押下が「無」と判別され、メインルーチンに戻る。すなわち、ｓｈｉｆｔキー２１３のみの押下では、実質的に何の処理もされない。そして、ｓｈｉｆｔキー２１３のみの押下が続いてもキー入力に変化がないことから、Ｓ１にてキー入力変化「無」と判別されてメインルーチンに戻ることを繰り返すこととなる。次に、テンキー２１２の数字キー「４」をも押下すると、ｓｈｉｆｔキー２１３だけのキー入力からｓｈｉｆｔキー２１３とテンキー２１２（数字キー「４」）とのキー入力となる。これにより、Ｓ１にてキー入力変化「有」、Ｓ２にて無キー「Ｎｏ」、Ｓ３にてｓｈｉｆｔキー２１３「Ｙｅｓ」、Ｓ４にてテンキー「有」と判別されていく。そして、Ｓ５にて同時押しのテンキー２１２の有効性が判別される。数字キー「４」であることから、有効キー「４」と判別されて、Ｓ１１にて液晶ディスプレイ２１１の表示画面を上スクロールする処理が開始される。すなわち、タイマ管理ルーチン（図示せず）にて画面データテーブル２１６の最初の方のデータが表示されるように１行ずつ表示画面を変化させていく。そして、ｓｈｉｆｔキー２１３と数字キー「４」との同時押しを続けている間は、Ｓ１にてキー入力変化「無」と判別されて新たな処理は行われず、表示画面の上スクロール処理が維持されたままとなる。
【００７６】
次に、操作者がｓｈｉｆｔキー２１３とテンキー２１２とを非押下にすると、Ｓ１にてキー入力変化「有」、Ｓ２にて無キー「Ｙｅｓ」と判別されて、Ｓ１０にて表示画面のスクロールを停止させる処理が行われる。すなわち、１行ずつの表示画面変化が終了する。そして、上述のように、次のメインルーチンタイミングではキー入力変化「無」となることから、新しい処理が行われない状態を続けることとなる。
【００７７】
このような処理が行われることから、操作者が表示画面を所望データまで上スクロールさせたいときは、ｓｈｉｆｔキー２１３と数字キー「４」とを同時押しして上スクロールを開始させ、所望する表示画面にて同時押しキーを非押下とすれば実現可能となる。
【００７８】
同様に、ｓｈｉｆｔキー２１３とテンキー２１２の数字キー「８」または「０」とが押下された場合には、Ｓ５にてそれぞれ有効キー「８」、「０」と判別される。その押下された数字キーが「８」である時には、Ｓ１２にて表示画面の下スクロール開始処理が行われる。すなわち、Ｓ１１の上スクロール開始処理とは逆の方向である画面データテーブル２１６の最後の方のデータが表示されるように、タイマ管理ルーチン（図示せず）にて１行ずつ表示画面を変化させてゆく処理が行われる。一方、その押下された数字キーが「０」である時には、Ｓ１３にて表示画面の最下行である入力行のクリア処理が行われる。すなわち、上述した１行クリア処理が実施される。なお、最後行である入力行については上述の上スクロール操作にて液晶ディスプレイ２１１の表示画面に表示されていない場合もある。このような場合は、図示していないが表示されていない場合の入力行クリア処理は実施せず、無効操作としている。また、「４」「８」「９」以外の数字キーの場合にはＳ５にて無効キーと判別されて何の処理もされないこととなる。
【００７９】
なお、キー入力を非押下とした場合、Ｓ１のキー入力変化「有」からＳ２の無キー「Ｙｅｓ」の判別になり、Ｓ１０にてスクロール停止処理が常に実施される。この場合において、画面スクロール中でないときは、スクロール停止中をさらに停止させるという冗長処理になるのみである。
【００８０】
また、スクロール処理は、タイマ管理ルーチン（図示せず）にて一定時間毎に表示画面を１行ずつ変化させていくのであるが、上スクロール処理では最初のデータ行が１行スクロール処理にて表示されれば、すなわち表示画面の１行目となれば上スクロールを停止させる。逆の下スクロール処理では最後のデータ行となる入力行が表示画面に表示されれば、すなわち表示画面の最下行目となれば下スクロールを停止させる。なお、最初のデータ行が表示されている状態での上スクロール、入力行が表示されている状態での下スクロールは、スクロールさせる必要がないことからＳ１１、Ｓ１２のスクロール開始後、１行スクロールを行うことなく、タイマ管理ルーチン（図示せず）にてスクロールを停止させている。
【００８１】
次に、テンキー２１２を操作してブラインド機器１０および操作コントローラ３０の設定操作および呼出操作を行う処理を説明する。なお、上述の１行クリア操作後、すなわち入力データ、データ１〜４は全て「０」であり、カーソル位置「０」とする。
【００８２】
テンキー２１２のいずれかの数字キーのみが押下されると、上述したようにテンキー２１２のみの入力と判別されて、Ｓ２０のテンキーのみ入力時処理がサブルーチンコールされる。Ｓ２０のサブルーチンでは、図６に示すように、まずＳ２１にてデータ入力行が液晶ディスプレイ２１１の表示画面に表示されているか否かが判別される。上述のスクロール操作により、データ入力行が表示されていない場合もあるからである。データ入力行が表示されていない場合は何もせずにリターンする。すなわち、スクロール操作してデータ入力行が表示されていない場合には、上述の下スクロール操作を行い、データ入力行を表示させてから設定または呼出操作を行うようにしている。
【００８３】
上述の１行クリア後であれば、カーソル位置「０」であることから、カーソル位置「０〜１１」と判別されて、次のＳ２３にて画面データテーブル２１６に数字キーの文字コードを追加するとともにカーソル位置に数字文字を表示させる。数字キー「０」であっても他の「１」〜「９」と同様に処理、すなわち表示される。
【００８４】
そして、Ｓ２４〜Ｓ２７にて３桁数字の入力データを計算するための加算データを算出する。最初は、Ｓ２４にてカーソル位置が「０」であることから、Ｓ２５にて３桁数字の重み「１００」として数字キーの数値×１００の値が加算データとして算出される。例えば、数字キーが「２」であれば、加算データは２×１００として「２００」の値となる。
【００８５】
そして、Ｓ２８にて数字キー入力後の入力データ値が算出、すなわち、入力データ「０」に加算データが足されて操作されたテンキー２１２の数値が反映された新しい入力データとなる。数字キーが「２」であれば、新しい入力データは０＋２００＝２００から「２００」となる。および、次のテンキー入力に備えてカーソル位置を「＋１」、すなわち「０」から「１」とする。
【００８６】
次に、Ｓ２９にて新しいカーソル位置から３桁入力が完了しているかが判別される。まだ１桁しか入力されていない場合は、カーソル位置が「３、６、９、１２」でないために「他」と判別されてメインルーチンにリターンする。
【００８７】
テンキー２１２を押下している間は上述したように図５のＳ１にてキー入力変化「無」と判別されて新しい処理は実施されず、その後に非押下としてもＳ１にてキー入力変化「有」、Ｓ２にて無キー「Ｙｅｓ」と判別されて冗長処理となる。すなわち、Ｓ１０の画面スクロール停止が行われるだけとなる。
【００８８】
そして、再びテンキー２１２を押下すれば、再びＳ２０のテンキーのみ入力時処理がサブルーチンコールされる。今回は、カーソル位置が「１」であることから、図６のＳ２３〜Ｓ２７では「１０」の重みとして加算データがＳ２６にて算出された後、上述のカーソル位置「０」時と同様に、加算データが足されて新しい入力データ値となる。これとともにカーソル位置も「＋１」されて「２」となり、リターンする。例えば、上述例に続いて数字キー「３」であった場合は、加算データは、３×１０＝３０として「３０」となり、入力データは２００＋３０＝２３０として「２３０」となる。
【００８９】
３個目のテンキー２１２を押下すれば、上述同様にＳ２０のテンキーのみ入力時処理がサブルーチンコールされる。今回は、カーソル位置が「２」であることから、Ｓ２７にて重み「１」として加算データの算出、Ｓ２８にて入力データの更新とカーソル位置更新（「３」）が行われる。例えば、上述例に続いて数字キー「４」であった場合は、加算データは、４×１＝４として「４」となり、入力データは２３０＋４＝２３４として「２３４」となる。
【００９０】
１回目、２回目と異なり、３桁入力完了となる今回は、Ｓ２９にて「他」と判別されてリターンではなく、新しいカーソル位置「３」故に「３、６、９、１２」と判別されて、入力データが各設定データにセットされる。今回の新しいカーソル位置「３」では、Ｓ３０にてデータ１に入力データ値がセットされる。上述例であった場合は、データ１は「２３４」となる。そして、表示画面にて３桁数字を区別表示するために、Ｓ３４にて、表示している３桁数字の右側に「スペース」文字を表示させる。また、画面データテーブル２１６にも「スペース」文字コードを追加する。その結果、カーソル表示は３桁数字の右側でなく、さらに１文字右の位置となり、そこが次の３桁数字の表示開始位置となる。そして、Ｓ３５にて次の３桁数値入力に備えて入力データを「０」として、メインルーチンにリターンする。
【００９１】
このようにして、液晶ディスプレイ２１１には入力した３桁数字がデータ１の位置に表示されるとともに、データ１に入力値がセットされ、カーソル位置が「３」となる。
【００９２】
続いて、テンキー２１２の押下をさらに３回行えば（２回目の３桁数字入力）、上述のテンキー２１２の押下３回と同様の処理が実施され、カーソル位置が「＋３」だけ移動した状態になる。すなわち、入力データはＳ３１にてデータ２にセットされ、カーソル位置が「６」となる。続いて、３回目の３桁数字入力を行えば、Ｓ３２にて入力データがデータ３にセットされ、カーソル位置もさらに「＋３」されて、カーソル位置が「９」となる。
【００９３】
この後、４回目の３桁数字入力を行えば、Ｓ３３にて入力データがデータ４にセットされ、カーソル位置もさらに「＋３」されてカーソル位置が「１２」となる。このとき、Ｓ３４の「スペース」文字埋め込みは実施されずにリターンとなる。すなわち、カーソル位置の表示位置はデータ４のすぐの右側となる。
【００９４】
ここで、さらにテンキー２１２の押下が行われた場合には、Ｓ２２にてカーソル位置が「１２」であると判別されて、何の処理もなしにリターンするだけとなり、無効操作となる。
【００９５】
一方、操作者が送信キー２１４を押下した場合、上述同様に図５のＳ１にてキー入力変化「有」、Ｓ２にて無キー「Ｎｏ」、Ｓ３にてｓｈｉｆｔキー「Ｎｏ」と判別され、次のＳ６にて送信キー「Ｙｅｓ」と判別される。その結果、次のＳ７にてカーソル位置が「１２」であると判別されて、Ｓ９にてデータ３のコマンドデータの有効性が判別される。データ３の値が上述の予め定義されている「１、２、３、１０、１３」であれば、入力内容が有効コマンドであると判別されて、Ｓ１４にて設定信号あるいは呼出信号の送信セットが実施される。そして、Ｓ１５にて画面改行処理、すなわち画面データテーブル２１６に「改行」文字コードを追加し、カーソル位置「０」とするとともに、データ１〜データ４に「０」をセットする。すなわち、上述例の開始時である１行クリア時と同様な状態となり、次の設定操作または呼出操作が可能な状態となる。
【００９６】
なお、上述のＳ９にてデータ３の値が定義されていない他の値の場合には、入力内容が無効コマンドであると判別されて、設定信号または呼出信号の送信セットは実施されずにＳ１５の画面改行処理が行われるだけとなる。
【００９７】
Ｓ１４における設定信号あるいは呼出信号の送信セットは、上述したように「設定／呼出」信号種別値である「１」をデータ０にセットし、入力されているデータ１〜データ４を含めてデータ０〜データ４からなる電文信号を作成して、送信できるようにセットすることである。そして、送信管理処理（図示せず）を行って、送信回路２１７へセットされている信号を出力する。該出力信号は配線４１を介して接続されている各ブラインド機器１０に送信される。
【００９８】
なお、上述の各種信号は、配線４１を介して設定コントローラ２１の受信回路２１８を通して、ＣＰＵ２１５に入力される。上述しているように、ＣＰＵ２１５は受信信号に含まれるデータ０を解読する。そして、その受信信号が回答信号であって、データ０が「３」であるブラインド機器回答電文である時は、データ１（個別番号Ｋ）、データ４（グループ番号Ｇ）を、を液晶ディスプレイ２１１に表示出力するとともに画面データテーブル２１６にセットしていく。また、その受信信号が回答信号であって、データ０が「２」である操作コントローラ回答電文である時は、データ１（個別番号Ｋ）、データ２（コントローラ番号Ｃ）、データ３（ハード番号ＳＷ）、データ４（グループ番号ＣＧ）を液晶ディスプレイ２１１に表示出力するとともに画面データテーブル２１６にセットしていく。
【００９９】
図７は図４中のブラインド機器１０の配線４１からの受信処理を示すメインルーチンのフローチャートであり、また、図８はブラインド機器１０の配線４２からの受信処理を示すメインルーチンのフローチャートである。次に図１〜図４、図７および図８を参照して各ブラインド機器１０の動作を説明する。
【０１００】
設定コントローラ２１の送信回路２１７から上述のデータ０の値を「１」とした設定信号または呼出信号が出力されると、その信号は配線４１を介して各ブラインド機器１０の受信回路５４を介してＣＰＵ５１に入力される。すなわち、通常は図７のＳ５０にて受信信号「無」と判別されて何も処理されないが、上述の設定信号または呼出信号を受信した場合は、受信信号「有」と判別されて、その受信信号が解析される。つまり、Ｓ５１にてその受信信号のデータ０の値が「１」であることから、その受信信号は「設定／呼出」信号であると判別される。そして、Ｓ５４にて、そのブラインド機器が指定されているか否か、すなわち受信信号のデータ１の値と個別番号設定スイッチ５３の設定値とが一致しているか否かの比較が行われる。２つの番号値が一致しなかった時には「不一致」と判別されて何も処理されないが、２つの番号値が一致した場合は「一致」と判別されて、Ｓ５５にてコマンドすなわちデータ３の値が判別される。なお、データ１の値が「０」である場合は上述したように全機器指定であることから、個別番号設定スイッチ５３の設定値に関係なく「一致」と判別される。
【０１０１】
Ｓ５５のコマンド判別では、データ３の値が判別される。データ３の値が「３」である時には、Ｓ５９にてグループ番号設定セットが行われる。すなわち、データ４の値がメモリ回路５２にグループ番号Ｇ値として記憶される。データ３の値が「１３」である時には、Ｓ６０にてグループ番号回答セットが行われる。すなわち、データ０にブラインド機器回答信号種別値である「３」を、データ１に個別番号設定スイッチ５３の設定値を、データ２とデータ３にはダミー値として「０」を、データ４にはメモリ回路５２にメモリされているグループ番号Ｇ値をそれぞれセットして、データ０〜データ４からなる電文信号を作成し配線４１へ送信セットする処理が行われる。なお、送信管理処理（図示せず）にて、送信回路５５へセットされている回答信号を出力する。該出力信号は配線４１を介して接続されている他のブラインド機器および設定コントローラ２１に送信される。
【０１０２】
また、Ｓ５５のコマンド判別において、操作コントローラへの設定または呼出を表すデータ３の値が「１」、「２」、「１０」である場合には、受信回路５４を介して受信された受信信号をそのまま配線４２へ送信セットする。送信セットされた送信信号は第２送信管理処理（図示せず）にて第２送信回路５６へ出力される。該出力信号は配線４２を介して接続されている操作コントローラ３０に送信される。
【０１０３】
なお、動作の詳細は後述するが上述の操作コントローラへの呼出信号を受信した操作コントローラ３０からは回答信号、および操作信号が配線４２に出力される。これらの操作コントローラ３０からの信号、および上述の第２送信回路５６から出力したコントローラ設定信号およびコントローラ呼出信号は、第２受信回路５７を介してブラインド機器１０のＣＰＵ５１に入力される。そして、図８のＳ９０にて受信信号が「有」と判別されると、Ｓ９１にて信号種別の電文データ０の値が判別されて、その受信信号が操作信号であるときはＳ９３にてそのまま送信セットされ、送信回路５５を介して配線４１へ出力される。その受信信号が回答信号であるときは、Ｓ９２にて受信信号の電文データ１に個別番号設定スイッチ５３の設定値をセットして送信セットされ、送信回路５５を介して配線４１へ出力される。なお、第２送信回路５６から出力した設定信号と呼出信号は「設定／呼出」信号であると判別される。このときは、何もせずにメインルーチンへ戻る。
【０１０４】
配線４１を介してブラインド機器１０の受信回路５４が受信した信号は、上述の接続されている操作コントローラ３０からの操作信号をも含めて、ＣＰＵ５１に入力される。上述したように操作信号の電文データ０には操作信号種別値の「０」が、電文データ３には操作コマンドがセットされている。該操作信号を受信した場合は、上述の設定信号または呼出信号と同様に、図７のＳ５０にて受信信号「有」と判別されて、その受信信号が解析される。つまり、Ｓ５１にてその受信信号のデータ０の値が「０」であることから、その受信信号は「操作」信号であると判別される。そして、Ｓ５２にて、そのブラインド機器が指定されているか否か、すなわち受信信号のデータ１の値とメモリ回路５２にメモリされているグループ番号Ｇ値とが一致しているか否かの比較が行われる。２つの番号値が一致しなかった時には「不一致」と判別されて何も処理されないが、２つの番号値が一致した場合は「一致」と判別されて、Ｓ５３の操作コマンドすなわちデータ３の値が判別される。
【０１０５】
Ｓ５３のコマンド判別では、データ３の値が判別される。データ３の値が「２０」である時には、Ｓ５６にて上昇駆動セットが行われる。すなわち、ＣＰＵ５１から駆動回路５８に上昇駆動の制御信号が出力される。同様に、データ３の値が「２２」である時には、Ｓ５８にて下降駆動セットが行われる。すなわち、駆動回路５８に下降駆動の制御信号が出力される。データ３の値が「２１」である時には、Ｓ５８にて停止駆動セットが行われる。すなわち、駆動回路５８に出力されている上昇または下降駆動の制御信号が非出力とされる。これらの駆動制御の結果、昇降駆動部（図示せず）によりブラインドが昇降または停止させられる。
【０１０６】
なお、配線４１を介して受信回路５４からは、上述の設定信号、呼出信号および操作信号以外に、上述した自機を含むブラインド機器１０からのブラインド機器回答信号、および動作の詳細は後述するが操作コントローラ３０からのコントローラ回答信号もＣＰＵ５１に入力される。上述したようにブラインド機器回答信号のデータ０には「３」、コントローラ回答信号のデータ０には「２」の回答信号種別値がセットされている。したがって、Ｓ５０にて受信信号「有」、そしてＳ５１にてデータ０の値が「２」または「３」であることから、その受信信号が「回答」信号であると判別される。このとき、何も処理されずにメインルーチンに戻ることとなる。
【０１０７】
同様に、Ｓ５５の設定信号または呼出信号のコマンド判別においてデータ３の値が、上述以外の定義されていない値であった時には無効コマンドと判別されて何も処理されない。
【０１０８】
図９は図４の操作コントローラ３０のメインルーチンのフローチャートである。次に図１〜図４、図９を参照して各操作コントローラ３０の動作を説明する。
【０１０９】
上述したように、設定コントローラ２１からのコントローラ設定信号およびコントローラ呼出信号は、その信号のデータ１（指定するブラインド機器の個別番号Ｋを表す）が接続されているブラインド機器のものに一致しておれば、受信信号のまま、すなわちデータ０の値を「１」としたまま配線４２に出力される（なお、上述したようにブラインド機器設定信号およびブラインド機器呼出信号は配線４２に出力されることはない。）。ブラインド機器１０の第２送信回路５６から設定信号または呼出信号が出力されると、配線４２を介して各操作コントローラ３０の受信回路６５を介してコントローラ設定信号またはコントローラ呼出信号がＣＰＵ６１に入力される。すなわち、通常は図９のＳ７０にて受信信号「無」と判別されて何も処理されないが、上述の設定信号または呼出信号を受信した場合は、受信信号「有」と判別されて、受信信号が解析される。Ｓ７１にてその受信信号のデータ０の値が「１」であることから、その受信信号は「設定／呼出」信号であると判別される。そして、Ｓ７２にてメモリ回路６２に記憶されているコントローラ番号Ｃ値が判別される。ここで、コントローラ番号Ｃが設定されていない場合、すなわち「０」の場合には、Ｓ７３にて受信信号の電文データ２のコントローラ番号値とハード番号設定スイッチ６３の設定値との比較が行われる。一方、コントローラ番号Ｃが設定されている場合、すなわち「１〜２５５」の場合には、Ｓ７４にて受信信号のデータ２のコントローラ番号Ｃ値とメモリ回路６２のコントローラ番号Ｃ値との比較が行われる。２つの番号値が一致しなかった時には「不一致」と判別されて何も処理されないが、２つの番号値が一致した場合は「一致」と判別されて、Ｓ７５のコマンドすなわち電文データ３の値が判別される。なお、データ１の値が「０」の場合は上述したように全操作コントローラ指定であることから、ハード番号設定スイッチ６３の設定値（Ｓ７３）、またはメモリ回路６２のコントローラ番号値（Ｓ７４）に関係なく、「一致」と判別される。
【０１１０】
Ｓ７５のコマンド判別では、その受信信号のデータ３の値が判別される。そのデータ３の値が「１」である時には、Ｓ７７にてコントローラ番号設定セットが行われる。すなわち、その受信信号のデータ４の値がメモリ回路６２にコントローラ番号Ｃ値として記憶される。その受信信号のデータ３の値が「２」である時には、Ｓ７８にてグループ番号設定セットが行われる。すなわち、その受信信号のデータ４の値がメモリ回路６２にグループ番号ＣＧ値として記憶される。また、その受信信号のデータ３の値が「１０」である時には、Ｓ７６にて回答セットが行われる。すなわち、データ０にコントローラ回答信号種別値である「２」を、データ１にはダミー値として「０」を、データ２にはメモリ回路６２に記憶されているコントローラ番号Ｃ値を、データ３にはハード番号設定スイッチ６３の設定値を、データ４にはメモリ回路５２にメモリされているグループ番号Ｇ値をセットして、データ０〜データ４からなる電文信号を作成し配線４２へ送信セットする。なお、第２送信管理処理（図示せず）にて送信回路６４へセットされている回答信号を出力する。上述したとおり、この出力信号は配線４２を介して接続されているブラインド機器１０に送信される。そして、その出力信号は、接続されているブラインド機器１０にてダミー値「０」となっている電文データ１に個別番号設定スイッチ５３の設定値をセットして配線４１に出力される。さらに、その出力信号は、配線４１を介して設定コントローラ２１が受信して液晶ディスプレイ２１１にデータ１（個別番号Ｋ）、データ２（コントローラ番号）、データ３（ハード番号ＳＷ）、データ４（グループ番号ＣＧ、Ｇ）として表示される。
【０１１１】
このように、この実施形態の電動開閉システムでは、ブラインド機器のレイアウト設定や変更が電気的に行われるので、市販の電動ブラインドシステムのように操作コントローラのディップスイッチの切替作業を要する場合に比して、開閉装置のレイアウト設定や変更を容易かつ確実に行うことができる。
【０１１２】
なお、上述の実施形態では各種信号を構成する電文データの員数を、データ０〜データ４からなる５個とする固定数電文としているが、冗長となっているデータを含めない可変長電文とすることも可能である。さらには、機能を限定して操作コントローラの設定をグループ番号ＣＧの設定のみに限定して、不要な電文データを削除する他の実施例も可能である。
【０１１３】
例えば、変形実施形態では、メモリ回路６２を操作指定グループ番号としての「グループ番号ＣＧ」のみとし、操作コントローラ用設定信号を「グループ番号設定」のみとすれば、設定種別を規定している電文データ３は不要とすることが可能である。ただし、上述の実施例におけるデータ０の「設定／呼出」においてはブラインド機器１０と操作コントローラ３０とを区別していなかった（電文データ３にて区別していた）のを、例えば「４」を「ブラインド機器への設定」とし、「５」を「操作コントローラへの設定」として区別する。そして、設定コントローラ２１は、信号種別の電文データ０に「５」（操作コントローラへの設定）、対象ブラインド機器１０の個別番号Ｋ値を電文データ１に、対象操作コントローラ３０のグループ番号ＣＧ値をデータ２にセットし、そして対象操作コントローラ３０の新しいグループ番号ＣＧ値をデータ４として構成されたコントローラ設定信号を出力するものとする。すなわち、対象操作コントローラ３０を指定するために、設定されているグループ番号ＣＧそのものを活用する。ブラインド機器１０は該コントローラ設定信号を受信解読して、データ０にてコントローラ設定指令の場合は、上述の実施例と同様に受信信号をそのまま操作コントローラ３０へ出力する。操作コントローラ３０は受信信号を解読して、その受信信号のデータ２の値が設定されているグループ番号ＣＧと一致すれば、該グループ番号を電文データ４の値に更新する。
【０１１４】
すなわち、既述の実施形態におけるディップＳＷ６３（ハード番号ＳＷ）を不要として操作指定のグループ番号ＣＧの更新が可能となっている。
【０１１５】
同様に、その変形実施形態において、メモリ回路６２に記憶された「グループ番号ＣＧ」だけでなく「コントローラ番号Ｃ」をも使用して、操作コントローラ３０は、自機のコントローラ番号Ｃが設定されていない場合（すなわち「０」の場合）に上述の設定信号を受信したときは、グループ番号ＣＧの更新ではなく、コントローラ番号Ｃの設定として電文データ４の値をコントローラ番号Ｃにセットするようにすることも可能である。このことにより、その変形実施形態の構成によっても操作コントローラ３０を一意に区別するコントローラ番号Ｃを設定することが可能となっている。
【０１１６】
また、上述の実施形態では、操作コントローラ３０のディップＳＷ６３を操作コントローラ指定用の「ハード番号ＳＷ」としか利用していないが、メモリ回路６２のグループ番号ＣＧが設定されていない場合、すなわち「０」の場合には、ハード番号値をグループ番号ＣＧとして、すなわち操作指定用のグループ番号ＣＧとして利用することも可能である。
【０１１７】
さらには、上述の変形実施形態と同様に、操作指定用のグループ番号ＣＧをハード番号ＳＷとしても位置づけることにより、ディップＳＷ６３（ハード番号ＳＷ）を廃止することが可能である。
【０１１８】
すなわち、上述の変形実施形態において、各ブラインド機器１０に接続する操作コントローラ３０の員数を１個に限定して、対象操作コントローラ３０を指定するデータ２の値に全ての操作コントローラを指定する「０」をセットし、所望のグループ番号ＣＧ値をデータ４の値として構成された設定信号を採用する。このようにすれば、ブラインド機器１０は上述と同様に受信信号をそのまま設定コントローラ２１に出力し、設定コントローラ２１は全コントローラ指定の自機指定と判別して、その設定信号のデータ４の値をグループ番号ＣＧとしてセットする。複数の操作コントローラ３０を同一のブラインド機器１０に接続するにはまず１台ずつ別々に異なるグループ番号ＣＧを設定してから接続すれば、設定コントローラ２１からは該異なるグループ番号ＣＧを使用して操作コントローラ３０を区別することが可能となる。したがって、上述の実施形態をディップＳＷ６３（ハード番号ＳＷ）なしで構築することが可能となる。
【０１１９】
なお、上述の実施形態ではブラインド機器１０の設定グループ番号Ｇについては１個としているが、複数個の設定とすることも可能である。また、操作指令時のブラインド機器指定をグループ番号Ｇの指定のみとしているが、個別番号Ｋを使用したブラインド機器指定はもちろん可能である。
【０１２０】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１２１】
【図１】この発明の一実施の形態の電動ブラインドシステムの全体構成を示す図である。
【図２】図１中に示す設定コントローラに設けられた液晶ディスプレイ、スイッチ類の配置を示す図である。
【図３】図２に示す液晶ディスプレイの画面データの一覧例を示す図である。
【図４】図１に示す電動ブラインドシステムの電気系の構成を示すブロック図である。
【図５】図４中に示す設定コントローラの動作を示すフロー図である。
【図６】図５中に示すサブルーチンであるテンキーのみ入力時処理を示す詳細フロー図である。
【図７】図４中に示すブラインド機器の配線４１からの受信処理のフロー図である。
【図８】図４中に示すブラインド機器の配線４２からの受信処理のフロー図である。
【図９】図４中に示す操作コントローラの動作を示すフロー図である。
【符号の説明】
【０１２２】
１、１１〜１６  ブラインド機器
２、２１  設定コントローラ
３、３１〜３４  操作コントローラ
４１、４２  配線
２１１  液晶ディスプレイ
２１２  テンキー
２１３  ｓｈｉｆｔキー
２１４  送信キー
２１６  画面データテーブル
５１、６１、２１５  ＣＰＵ
５４、５７、６５、２１８  受信回路
５５、５６、６４、２１７  送信回路
５２  メモリ回路（グループ番号Ｇ）
６２  メモリ回路（グループ番号ＣＧ／コントローラ番号Ｃ）
５３  ディップＳＷ（個別番号Ｋ）
６３  ディップＳＷ（ハード番号ＳＷ）
６６  上昇キー
６７  停止キー
６８  下降キー
５８  駆動回路
【図１】
2008150826.tif 000003
【図２】
2008150826.tif 000004
【図３】
2008150826.tif 000005
【図４】
2008150826.tif 000006
【図５】
2008150826.tif 000007
【図６】
2008150826.tif 000008
【図７】
2008150826.tif 000009
【図８】
2008150826.tif 000010
【図９】
2008150826.tif 000011